(57)【特許請求の範囲】
【請求項１】
走行車に施肥部を装設させ、施肥部に前記走行車の左右方向に長いエアタンクを設け、繰出ケースから送出される肥料を搬送する搬送空気を前記エアタンクから供給する田植機において、
前記エアタンクは、前記走行車の左右側面より内側に位置する中央のエアタンクと、前記走行車の左右側面より外側に位置する左右エアタンクとに分割され、
前記左右エアタンクは、前記中央のエアタンクの左右両端部に対して、縦軸状の支点軸を有する蝶番を介して前記支点軸回りに水平回動可能に連結され、
前記支点軸は、前記左右エアタンクを前記中央のエアタンクから取り外せるように抜き差し可能に構成されていることを特徴とする田植機。
【請求項２】
左右エアタンクのいずれか一方に送風機を取付けたことを特徴とする請求項１に記載の田植機。
【請求項３】
肥料を搬送する搬送ホースを取外し位置に支持させる受部材を植付部に設けたことを特徴とする請求項１に記載の田植機。
【請求項４】
植付部及びエアタンクの左右幅を縮少させたときの左右全幅内に受部材を設けたことを特徴とする請求項３に記載の田植機。
【発明の詳細な説明】
【０００１】
【発明の属する技術分野】
本発明は例えば苗載台及び植付爪を備えて連続的に苗植作業及び側条施肥作業を行う田植機に関する。
【０００２】
【発明が解決しようとする課題】
従来、施肥部に設けるエアタンクを左右方向に延設させることにより、運搬用トラック荷台から機外側のエアタンク端部が突出し易く、植付部及び施肥部の多条大型化によって容易に運搬し得ない不具合がある。また、肥料を搬送する搬送ホースを施肥部と植付部の間に設けることにより、搬送ホースを施肥部から取外してトラック荷台に載せる場合、搬送ホースが植付部外方に飛出して損傷し易い等の不具合が生じる。
【０００３】
【課題を解決するための手段】
上述の技術的課題を達成するため、請求項１の発明は、走行車に施肥部を装設させ、施肥部に前記走行車の左右方向に長いエアタンクを設け、繰出ケースから送出される肥料を搬送する搬送空気を前記エアタンクから供給する田植機において、前記エアタンクは、前記走行車の左右側面より内側に位置する中央のエアタンクと、前記走行車の左右側面より外側に位置する左右エアタンクとに分割され、前記左右エアタンクは、前記中央のエアタンクの左右両端部に対して、縦軸状の支点軸を有する蝶番を介して前記支点軸回りに水平回動可能に連結され、前記支点軸は、前記左右エアタンクを前記中央のエアタンクから取り外せるように抜き差し可能に構成されているというものである。
【０００４】
請求項２の発明は、請求項１に記載した田植機において、左右エアタンクのいずれか一方に送風機を取付けたというものである。
【０００５】
また、請求項３の発明は、請求項１に記載した田植機において、肥料を搬送する搬送ホースを取外し位置に支持させる受部材を植付部に設けたというものである。
【０００６】
さらに、請求項４の発明は、請求項３に記載した田植機において、植付部及びエアタンクの左右幅を縮少させたときの左右全幅内に受部材を設けたというものである。
【０００７】
【発明の実施の形態】
以下、本発明の実施例を図面に基づいて詳述する。図１は乗用田植機の側面図、図２は同平面図を示し、図中（１）は作業者が搭乗する走行車であり、エンジン（２）を車体フレーム（３）前部上方に搭載させ、ミッションケース（４）前方にフロントアクスルケース（５）を介して水田走行用前輪（６）を支持させると共に、前記ギヤ変速ケース（４）の後部にリヤアクスルケース（７）を連設し、前記リヤアクスルケース（７）に水田走行用後輪（８）を支持させる。そして前記エンジン（２）等を覆うボンネット（９）両側に予備苗載台（１０）を取付けると共に、ステップ（１１）を介して作業者が搭乗する車体カバー（１２）によって前記ミッションケース（４）等を覆い、前記車体カバー（１２）上部に運転席（１３）を取付け、その運転席（１３）の前方で前記ボンネット（９）後部に操向ハンドル（１４）を設ける。
【０００８】
また、図中（１５）は８条植え用の苗載台（１６）並びに複数の植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（２２）（２２）を配設し、その爪ケース（２２）（２２）先端に植付爪（１７）（１７）を取付ける。また前記植付ケース（２０）の前側にローリング支点軸（２３）を介して支持フレーム（２４）を設け、トップリンク（２５）及びロワーリンク（２６）を含むリンク機構（２７）を介して走行車（１）後側に支持フレーム（２４）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
【０００９】
また、図中（２９）は走行変速レバー、（３０）は植付昇降兼作業走行変速用副変速レバー、（３１）は植付け感度調節レバー、（３２）は主クラッチペダル、（３３）（３３）は左右ブレーキペダル、（３４）は２条分均平用センターフロート、（３５）は２条分均平用サイドフロート、（３６）は６条用の側条施肥部である。
【００１０】
さらに、図３、図４に示す如く、肥料を入れる肥料タンクである中央と左右の施肥ホッパ（３７）（３７１）（３７２）と、肥料を定量供給する肥料繰出ケース（３８）と、フロート（３４）（３５）の側条作溝器（３９）にフレキシブル形搬送ホース（４０）を介して肥料を排出させるターボブロワー型送風機（４１）と、円筒形のエアタンク（４２）とを、前記施肥部（３６）に備えると共に、エアタンク（４２）右側端に送風機（４１）を取付け、８条分の８組の肥料繰出ケース（３８）…をエアタンク（４２）上側に配設させている。
【００１１】
さらに、図５乃至図１１に示す如く、前記車体フレーム（３）後端の左右支柱（４３）上端間に横架する水平フレーム（４４）両側に左右ベースフレーム（４５）（４５）を取付け、前後方向に略水平に横架させる前記ベースフレーム（４５）を介して施肥部（３６）を設けると共に、左右ベースフレーム（４５）（４５）にブラケット（４６）（４６）を介してエアタンク（４２）をボルト止め固定させるもので、ベースフレーム（４５）後端部と車体フレーム（３）間にサイドステー（４７）を連結させ、ベースフレーム（４５）前後側に前後昇降レール（４８）（４９）…を立設させ、前後一組左右二対の４本の該昇降レール（４８）（４８）（４９）（４９）を介して施肥部（３６）を昇降自在に取付けると共に、左右一対の２本のガススプリング（５０）（５０）によって昇降自在に施肥部（３６）を取付け、車体フレーム（３）後端部に配置させるリヤアクスルケース（７）に施肥部（３６）重量を支持させるもので、図１２にも示す如く、前後昇降レール（４８）（４９）に対向させる軸受板（５１）を設け、前記レール（４８）（４９）に転動自在に嵌込むベアリングローラ（５２）…を軸受板（５１）に回転自在に軸支させ、前後２本のレール（４８）（４９）を左右対称に２組設け、１本のレール（４８）（４９）に対して上下２個のローラ（５２）（５２）を取付け、左右一対の軸受板（５１）（５１）を４本のレール（４８）（４９）と８個のローラ（５２）…によってベースフレーム（４５）に昇降自在に支持させている。
【００１２】
また、前記ガススプリング（５０）の下端を前記車体フレーム（３）に連結させ、前記軸受板（５１）にガススプリング（５０）上端を連結させ、前記レール（４８）（４９）とガススプリング（５０）を略平行に立設させると共に、施肥部（３６）の前後幅方向の重心位置にガススプリング（５０）を連結させるもので、施肥部（３６）の重量と略等しいかまたは若干小さい伸張力をガススプリング（５０）が有するように構成している。
【００１３】
さらに、左右の軸受板（５１）（５１）を丸パイプ形の前フレーム（５３）によって一体固定させ、施肥部（３６）を持上げるときに作業者が握る取手（５４）を前記前フレーム（５３）に溶接固定させ、左右の前記軸受板（５１）（５１）に支軸（５５）（５５）を介して左右ロックレバー（５６）（５６）を回転自在に軸支させ、前側の左右昇降レール（４８）（４８）に左右ロックレバー（５６）（５６）を介して左右軸受板（５１）（５１）前部を係止させると共に、後側の左右昇降レール（４９）（４９）に左右ロックピン（５７）（５７）を取付け、軸受板（５１）にロックピン（５７）を係脱自在に係入させ、後側の左右昇降レール（４９）（４９）に左右軸受板（５１）（５１）後部を左右ロックピン（５７）（５７）を介して係止させ、軸受板（５１）の前部と後部を前後の昇降レール（４８）（４９）にロックレバー（５６）とロックピン（５７）により固定させる。また、前記昇降レール（４８）に上下係合孔（５８）（５９）を形成させ、各係合孔（５８）（５９）にロックレバー（５６）を係入させて施肥機（３６）を上昇位置または下降位置で固定支持させるもので、ロックレバー（５６）を前記取手（５４）の下側に延出させ、運転席（１３）側に突設させる取手（５４）を作業者が握り乍らロックレバー（５６）を操作し、ロックレバー（５６）を係合孔（５８）（５９）から離脱させることができるように構成している。
【００１４】
また、前記前フレーム（５３）にケース前ブラケット（６０）を溶接固定させ、該ケース前ブラケット（６０）に前記繰出ケース（３８）前側をボルト止め固定させるもので、１ユニットとして構成する中央２条分の繰出ケース（３８）（３８）を左右の昇降レール（４８）（４９）間に配設させ、昇降レール（４８）（４９）の機外側に左右各２条分の繰出ケース（３８）（３８）を夫々配設させ、２条１組として６条分３ユニットの繰出ケース（３８）…を左右に並設させ、さらに左右機外側に左右繰出ケース（３８１）（３８２）を並設させている。
【００１５】
さらに、図１２に示す如く、前記繰出ケース（３８）（３８１）（３８２）の上面前側の取入口（６１）に前記ホッパ（３７）（３７１）（３７２）の下部出口（６２）を嵌着させると共に、前記繰出ケース（３８）（３８１）（３８２）前面下側に取出口（６３）を形成し、着脱自在なキャップ（６４）によって取出口（６３）を閉塞している。前記キャップ（６４）を取外して取出口（６３）を開放し、ホッパ（３７）内部の肥料を前側下方に流下させるもので、このときに施肥部（３６）を昇降レール（４８）（４９）の上昇位置に支持させ、取出口（６３）と下方のエアタンク（４２）の間隔を拡大させ、肥料を入れる容器を前記取出口（６３）下方に容易に差し入れることができ、残留肥料の取出しを容易に行えるように構成している。
【００１６】
また、前記繰出ケース（３８）下面に閉塞レバーを介してケース底部である底蓋（６６）を着脱自在に固定させると共に、硬質合成樹脂製の前記底蓋（６６）下面に出口（６７）を形成するもので、エアタンク（４２）に前端部を嵌着させる軟質合成樹脂製の接合パイプ（６８）を備え、該パイプ（６８）後端に硬質合成樹脂製のホースジョイント（６９）前端を着脱自在に嵌着させると共に、前記ジョイント（６９）後端に前記搬送ホース（４０）を嵌着させ、前記送風機（４１）の送風をエアタンク（４２）から各パイプ（６８）…及びホース（４０）に吹出させ、底蓋（６６）の出口（６７）からジョイント（６９）中間に落下する肥料を搬送ホース（４０）に移動させるもので、Ｔ字形フランジを形成する前記ジョイント（６９）中間に入口（７０）を上向き開放に形成し、底蓋（６６）の出口（６７）に嵌合キャップ（７１）を固定させ、該キャップ（７１）を前記入口（７０）の外壁に着脱自在に嵌着させ、出口（６７）を入口（７０）に接続させると共に、前記エアタンク（４２）に取付板（７２）を一体固定させ、取付板（７２）に前記ジョイント（６９）をボルト止め固定させている。
【００１７】
また、取入口（７３）及び吹出口（７４）を有する入口板（７５）と、同一円周上に略四角形の複数の繰出口（７６）…を有する繰出ロールである繰出板（７７）と、排出口（７８）を有する出口板（７９）を備え、略円形平板製の前記各板（７５）（７７）（７９）を繰出ケース（３８）と底蓋（６６）の間に多層状に配設させると共に、繰出ケース（３８）にロール駆動軸である繰出軸（８０）を略垂直に回転自在に軸支させ、各板（７５）（７７）（７９）の中央部に繰出軸（８０）下端側を貫通させ、出口板（７９）下面に下方側からバネ（８１）を弾圧させ、各板（７５）（７７）（７９）を下方に抜出し自在に繰出軸（８０）に支持させ、かつ閉塞レバーによって各板（７５）（７７）（７９）を繰出ケース（３８）と底蓋（６６）間に弾圧させるもので、入口板（７５）と出口板（７９）を繰出ケース（３８）に係止させ、各板（７５）（７９）に対して繰出軸（８０）を遊転させると共に、繰出板（７７）を繰出軸（８０）に係合軸支させ、繰出軸（８０）によって繰出板（７７）を強制的に回転させ、取入口（７３）から繰出口（７６）に入った肥料を排出口（７８）に移動させて出口（６７）方向に落下させるように構成している。
【００１８】
さらに、図６、図９、図１１にも示す如く、前記エンジン（２）出力を植付部（１５）に伝達させるＰＴＯ軸（８６）をミッションケース（４）から後方に延出させると共に、前記左支柱（４３）に軸受ケース（８７）を溶接固定させ、軸受ケース（８７）の入力軸（８８）を前記ＰＴＯ軸（８６）中間にチェン（８９）を介して連動連結させ、軸受ケース（８７）の出力軸（９０）後端部にクランク板（９１）をボールロック構造により着脱自在に固定させる。また、前記軸受板（５１）及びケース後ブラケット（９２）を一体固定させる四角パイプ形後面フレーム（９３）を備え、エアタンク（４２）及び前フレーム（５３）と略平行に後面フレーム（９３）を横架させ、ケース後ブラケット（９２）に前記繰出ケース（３８）後側をボルト止め固定させる。
【００１９】
また、前記左の軸受板（５１）にブラケット（９４）及び軸（９５）を介して繰出量調節レバー（９６）を軸支させると共に、左の軸受板（５１）に支軸（９７）を介して調節リンク（９８）及び支点リンク（９９）を設け、前記レバー（９６）のネジ部（１００）に調節リンク（９８）を連結させ、支点リンク（９９）に調節支点（１０１）を取付け、該支点（１０１）に駆動アーム（１０２）を軸支させる。
【００２０】
また、前記後面フレーム（９３）に軸受板（１０３）を介して繰出駆動軸（１０４）を回転自在に軸支させ、該駆動軸（１０４）に揺動アーム（１０５）を固定させ、前記駆動アーム（１０２）に長さ調節自在な伸縮ロッド（１０６）一端側を連結させ、かつ前記揺動アーム（１０５）に前記伸縮ロッド（１０６）の他端側を連結させると共に、前記クランク板（９１）を駆動アーム（１０２）に入力ロッド（１０７）を介して連結させ、植付駆動用のＰＴＯ軸（８６）から入力ロッド（１０７）及び駆動アーム（１０２）を介して繰出駆動軸（１０４）に駆動力を伝えるように構成している。
【００２１】
さらに、図８に示す如く、前記後面フレーム（９３）に連れ回り防止一方向クラッチ（１０８）を介してクラッチ軸（１０９）を軸支させ、該クラッチ軸（１０９）に一方向クラッチ（１１０）を介して入力リンク（１１１）を設けると共に、前記繰出駆動軸（１０４）に揺動リンク（１１２）を固定させ、該リンク（１１２）を前記入力リンク（１１１）に連係ロッド（１１３）を介して連結させ、入力リンク（１１１）を揺動させてクラッチ軸（１０９）を一方向に間欠的に回転させるように構成している。
【００２２】
また、前記繰出ケース（３８）に条止めクラッチケース（１１４）を固定させると共に、前記繰出軸（８０）上端側にベベルギヤ（１１６）を介してクラッチ軸（１０９）を常時連結させるもので、繰出軸（８０）を前記クラッチ軸（１０９）に継断自在に連結させる条止めクラッチ（図示省略）を前記クラッチケース（１１４）に内設させると共に、前記ケース（１１４）の条止めクラッチを継断操作するクラッチレバー（１１８）とクラッチアーム（１１９）を前記クラッチケース（１１４）の前後に振分け配設させ、前記植付部（１５）の苗載台（１６）上側背面部に設ける植付け条止め用ユニットクラッチレバー（１２０）に条止めワイヤを介して前記クラッチアーム（１１９）を連結させる。
【００２３】
さらに、図８、図１３、図１４に示す如く、中央２条分の肥料繰出ケース（３８）（３８）取付位置外側で前フレーム（５３）と後面フレーム（９３）に左右の軸受板（５１）（５１）を溶接固定させると共に、前フレーム（５３）と後面フレーム（９３）の両端部を左右のサイドフレーム（１２３）（１２３）によって一体固定させ、両側２条分の肥料繰出ケース（３８）（３８）を軸受板（５１）とサイドフレーム（１２３）間の前フレーム（５３）及び後面フレーム（９３）に取付けるもので、四角枠形の各フレーム（５３）（９３）（１２３）を軸受板（５１）によって左右方向に三等分に区切り、前後のフレーム（５３）（９３）間に６条分の肥料繰出ケース（３８）を掛け渡し支持させる。
【００２４】
さらに、図１５乃至図１８に示す如く、前記ステップ（１１）を取付けるステップフレーム（１２４）に補助ステップ（１２５）を設け、車体カバー（１２）後部両側に左右補助ステップ（１２５）（１２５）を配設させると共に、前記エアタンク（４２）両側に同一形状の左右エアタンク（４２１）（４２２）を連設させ、支点軸（１２６）によって回転自在に連結させる蝶番形フランジ（１２７）（１２８）の一方をエアタンク（４２）両端に一体固定させ、前記フランジ（１２７）（１２８）のもう一方を左右エアタンク（４２１）（４２２）端部に一体固定させ、各フランジ（１２７）（１２８）をロックボルト（１２９）と位置決めピン（１３０）によって開閉自在に連結させる。そして、右エアタンク（４２２）端部に前記送風機（４１）を固設させ、送風機（４１）から各タンク（４２２）（４２）（４２１）内に空気を圧送し、施肥作業を行うと共に、トラック荷台に走行車（１）を積んで運搬するとき、前記ロックボルト（１２９）を外し、支点軸（１２６）を中心に左右エアタンク（４２１）（４２２）を略水平に回転させて左右補助ステップ（１２５）（１２５）上方に移行させ、左右エアタンク（４２１）（４２２）のロックブラケット（１３１）を補助ステップ（１２５）にロックボルト（１２９）を用いて固定させ、エアタンク（４２）（４２１）（４２２）の左右全幅を縮少させるように構成している。
【００２５】
上記から明らかなように、走行車（１）に施肥部（３６）を装設させ、施肥部（３６）にエアタンク（４２）を設け、繰出ケース（３８）から送出される肥料を搬送する搬送空気をエアタンク（４２）から供給する田植機において、左右方向に延設させる中央のエアタンク（４２）と、該エアタンク（４２）端部に連設させる左右エアタンク（４２１）（４２２）を設け、左右エアタンク（４２１）（４２２）の折畳みまたは脱着によってエアタンク（４２）（４２１）（４２２）全体の左右取付け幅を容易に縮少でき、エアタンク（４２）（４２１）（４２２）全体を取外すことなくトラック荷台に走行車（１）を載せて運搬できると共に、左右エアタンク（４２１）（４２２）を垂直軸芯回りに回動自在に中央のエアタンク（４２）に連結させ、施肥作業位置または折畳み収納位置に左右エアタンク（４２１）（４２２）を容易に移行させることができ、取扱い操作の簡略化を容易に図ることができる。また、左右エアタンク（４２１）（４２２）を取外し自在に支点軸（１２６）を介して中央のエアタンク（４２）に連結させ、支点軸（１２６）を抜いて左右エアタンク（４２１）（４２２）を取外すことによってエアタンク（４２）（４２１）（４２２）の掃除並びに単独輸送など取扱い操作の簡略化を容易に行うことができると共に、左右エアタンク（４２１）（４２２）のいずれか一方に送風機（４１）を取付け、左右エアタンク（４２１）（４２２）と送風機（４１）の収納を同時に行うことができると共に、送風機（４１）を単独収納構造よりも走行車（１）機内側に容易に収納でき、また送風機（４１）の空気吹出し側への異物侵入をエアタンク（４２２）によって防止できるように構成している。
【００２６】
さらに、図１７乃至図２１に示す如く、前記サイドフレーム（１２３）にロックボルト（１３２）（１３２）を介して左右フレーム（１３３）（１３３）を着脱自在に連結させ、前フレーム（５３）及び後面フレーム（９３）と略同形の分割フレーム（１３４）（１３５）を左右フレーム（１３３）（１３３）と外側フレーム（１３６）（１３６）の間に一体固定させ、分割フレーム（１３４）（１３５）に左右繰出ケース（３８１）（３８２）を固定させると共に、固定側クラッチ軸（１０９）端部を左右繰出ケース（３８１）（３８２）の繰出軸（１３７）（１３７）にドグクラッチ形爪体（１３８）（１３９）を介して着脱自在に連結させ、クラッチ軸（１０９）から爪体（１３８）（１３９）を介して左右繰出ケース（３８１）（３８２）に繰出し駆動力を伝えるように構成している。
【００２７】
そして、図１５、図１６、図１７のように、施肥作業位置に左右繰出ケース（３８１）（３８２）を連結支持させているとき、ロックボルト（１３２）を取外してサイドフレーム（１２３）（１２３）と左右フレーム（１３３）（１３３）を分離させ、左右機外側のホッパ（３７１）（３７２）及び繰出ケース（３８１）（３８２）を取外すと共に、前記補助ステップ（１２５）上面に取外した繰出ケース（３８１）（３８２）を載せ、左右フレーム（１３３）（１３３）及び外側フレーム（１３６）（１３６）を補助ステップ（１２５）（１２５）にロックボルト（１３２）…によって固定させ、左右機外側のホッパ（３７１）（３７２）及び繰出ケース（３８１）（３８２）を左右補助ステップ（１２５）（１２５）上面側に支持させ、左右補助ステップ（１２５）（１２５）取付け幅内に、取外した繰出ケース（３８１）（３８２）を収納させるように構成している。また、図１９のように、車体カバー（１２）上面に分割フレーム（１３４）を当接させ、車体カバー（１２）によってホッパ（３７１）（３７２）及び繰出ケース（３８１）（３８２）重量を受けると共に、図２４のように、取外した爪体（１３９）をフレーム（１３３）内側に配置させて保護するように構成している。
【００２８】
上記から明らかなように、複数組のホッパ（３７）（３７１）（３７２）及び繰出ケース（３８）（３８１）（３８２）を左右方向に並設させる施肥部（３６）を走行車（１）に設ける田植機において、左右機外側のホッパ（３７１）（３７２）及び繰出ケース（３８１）（３８２）を脱着自在に取付け、左右機外側のホッパ（３７１）（３７２）及び繰出ケース（３８１）（３８２）を走行車（１）機内側に収納して左右幅を縮少させ、施肥部（３６）を取外すことなく走行車（１）を運搬でき、しかも左右機外側のホッパ（３７１）（３７２）及び繰出ケース（３８１）（３８２）を施肥作業位置または収納位置に容易に移行させることができると共に、走行車（１）に施肥部（３６）を装設させ、施肥部（３６）にエアタンク（４２）（４２１）（４２２）を設け、繰出ケース（３８）（３８１）（３８２）から送出される肥料を搬送する搬送空気をエアタンク（４２）（４２１）（４２２）から供給すると共に、左右方向に延設させる中央のエアタンク（４２）端部に左右エアタンク（４２１）（４２２）を回動自在に設け、左右エアタンク（４２１）（４２２）を折畳んでエアタンク（４２）（４２１）（４２２）の左右全幅を縮少させることにより、輸送時にトラック荷台などにエアタンク（４２１）（４２２）を衝突させる不具合をなくしている。また、取外した左右機外側のホッパ（３７１）（３７２）及び繰出ケース（３８１）（３８２）を支持させる載台である補助ステップ（１２５）を走行車（１）に設け、取外したホッパ（３７１）（３７２）及び繰出ケース（３８１）（３８２）を単独で輸送する必要がなく、前記ホッパ（３７１）（３７２）及び繰出ケース（３８１）（３８２）の取扱い操作の簡略化並びに輸送途中での破損防止を容易に図ることができるように構成している。
【００２９】
さらに、図２５に示す如く、左右繰出ケース（３８１）（３８２）を取外して施肥部（３６）の左右幅を縮少させるとき、左右機外側の搬送ホース（４０）（４０）をジョイント（６９）（６９）から分離させ、左右エアタンク（４２１）（４２２）にジョイント（６９）（６９）を取付けた状態で左右エアタンク（４２１）（４２２）を折畳むもので、前記苗載台（１６）上端側の補助苗載台（１４０）の開孔（１４１）に、取外した搬送ホース（４０）端部をピン（１４２）によって着脱自在に係合支持させると共に、苗載台（１６）を支える支柱（１４３）にマーカフック（１４４）を介してサイドマーカ（１４５）を着脱自在に係止させ、またマーカフック（１４４）にホースフック（１４６）を固定させ、取外した搬送ホース（４０）中間を前記ホースフック（１４６）に係止支持させるように構成している。
【００３０】
上記から明らかなように、肥料を搬送する搬送ホース（４０）を取外し位置に支持させる受部材（１４６）を植付部（１５）に設け、施肥部（３６）から搬送ホース（４０）を分離させても搬送ホース（４０）を受部材である補助苗載台（１４６）によって植付部（１５）に容易に収納支持でき、輸送時に搬送ホース（４０）が損傷するのを容易に防止できると共に、植付部（１５）及びエアタンク（４２）（４２１）（４２２）の左右幅を縮少させたときの左右全幅内に補助苗載台（１４０）又はホースフック（１４６）を設け、苗載台（１６）左右端部を折畳んで左右幅を縮少させた植付部（１５）の左右全幅内に搬送ホース（４０）の取外し端部を収納でき、搬送ホース（４０）がトラック荷台などに接触して損傷するのを防止できるように構成している。
【００３１】
【発明の効果】
以上実施例から明らかなように、請求項１の発明は、走行車に施肥部を装設させ、施肥部に前記走行車の左右方向に長いエアタンクを設け、繰出ケースから送出される肥料を搬送する搬送空気を前記エアタンクから供給する田植機において、前記エアタンクは、前記走行車の左右側面より内側に位置する中央のエアタンクと、前記走行車の左右側面より外側に位置する左右エアタンクとに分割され、前記左右エアタンクは、前記中央のエアタンクの左右両端部に対して、縦軸状の支点軸を有する蝶番を介して前記支点軸回りに水平回動可能に連結され、前記支点軸は、前記左右エアタンクを前記中央のエアタンクから取り外せるように抜き差し可能に構成されているというものである。
【００３２】
この構成により、前記左右エアタンクの折畳みまたは脱着によって前記エアタンク全体の左右取付け幅を容易に縮少でき、前記エアタンク全体を取外すことなくトラック荷台に走行車を載せて運搬できるのである。
【００３３】
また、前記左右エアタンクを、縦軸状の支点軸を有する蝶番を介して前記支点軸回りに水平回動させることができるので、施肥作業位置または折畳み収納位置に前記左右エアタンクを容易に移行させることができ、取扱い操作の簡略化を容易に図ることができるのである。
【００３４】
さらに、前記蝶番の前記支点軸が、前記左右エアタンクを前記中央のエアタンクから取り外せるように抜き差し可能に構成されているので、前記支点軸を抜いて前記左右エアタンクを取外すことによって、前記エアタンクの掃除並びに単独輸送など取扱い操作の簡略化を容易に行うことができるのである。
【００３５】
請求項２の構成によると、前記左右エアタンクのいずれか一方に送風機を取付けているので、前記左右エアタンクと前記送風機の収納を同時に行うことができると共に、前記送風機を単独収納構造よりも前記走行車の機内側に容易に収納でき、また前記送風機の空気吹出し側への異物侵入を前記エアタンクによって防止できるのである。
【００３６】
請求項３の構成によると、前記肥料を搬送する搬送ホースを取外し位置に支持させる受部材を植付部に設けているので、前記施肥部から前記搬送ホースを分離させても前記搬送ホースを前記受部材によって前記植付部に容易に収納支持でき、輸送時に前記搬送ホースが損傷するのを容易に防止できるのである。
【００３７】
請求項４の構成によると、植付部及びエアタンクの左右幅を縮少させたときの左右全幅内に受部材を設けているので、縮少させた前記植付部の左右全幅内に前記搬送ホースの取外し端部を収納でき、前記搬送ホースがトラック荷台などに接触して損傷するのを防止できるのである。
【図面の簡単な説明】
【図１】全体の側面図。
【図２】同平面図。
【図３】施肥部の平面図。
【図４】同背面図。
【図５】同側面説明図。
【図６】昇降レール部側面説明図。
【図７】肥料繰出ケース部の側面説明図。
【図８】肥料繰出ケース部の平面説明図。
【図９】ベースフレーム部の背面説明図。
【図１０】肥料繰出ケース部の背面説明図。
【図１１】繰出駆動入力部の同側面説明図。
【図１２】肥料繰出ケースの断面側面説明図。
【図１３】施肥部右側の平面図。
【図１４】施肥部左側の平面図。
【図１５】エアタンク右側の平面図。
【図１６】エアタンク左側の平面図。
【図１７】施肥部右側の背面図。
【図１８】施肥部右側の右側面図。
【図１９】左施肥部の走行車支持状態図。
【図２０】左繰出ケース部の背面図。
【図２１】同左側面図。
【図２２】同右側面図。
【図２３】図２０の拡大図。
【図２４】図２３の分解図。
【図２５】搬送ホース収納説明図。
【符号の説明】
（１）走行車
（１５）植付部
（３６）施肥部
（３７）（３７１）（３７２）ホッパ
（３８）（３８１）（３８２）繰出ケース
（４０）搬送ホース
（４１）送風機
（４２）（４２１）（４２２）エアタンク
（１４６）補助苗載台（受部材）
【図１】
0003628420.tif 000002
【図２】
0003628420.tif 000003
【図３】
0003628420.tif 000004
【図４】
0003628420.tif 000005
【図５】
0003628420.tif 000006
【図６】
0003628420.tif 000007
【図７】
0003628420.tif 000008
【図８】
0003628420.tif 000009
【図９】
0003628420.tif 000010
【図１０】
0003628420.tif 000011
【図１１】
0003628420.tif 000012
【図１２】
0003628420.tif 000013
【図１３】
0003628420.tif 000014
【図１４】
0003628420.tif 000015
【図１５】
0003628420.tif 000016
【図１６】
0003628420.tif 000017
【図１７】
0003628420.tif 000018
【図１８】
0003628420.tif 000019
【図１９】
0003628420.tif 000020
【図２０】
0003628420.tif 000021
【図２１】
0003628420.tif 000022
【図２２】
0003628420.tif 000023
【図２３】
0003628420.tif 000024
【図２４】
0003628420.tif 000025
【図２５】
0003628420.tif 000026